(57)【要約】【課題】プロジェクターに画像を投写する際、所定時間、通常より縮小されたサイズで投写することが可能なプロジェクターを提供する。【解決手段】プロジェクター１が第１の状態（ステップＳ１００）にあるときに、画像信号検出手段１５により、画像信号を検出した場合（ステップＳ１０１）、入力画像Ｐ１を縮小設定情報２１１に基づき、縮小し、画像投写手段１０により、現在投写されている背景画像Ｂ１上に投写する。（ステップＳ１０４）。【選択図】図３
2014048617.tif 000002
【特許請求の範囲】
【請求項１】
光源から射出された光を、画像入力端子より入力される画像信号に基づく画像情報に応じて変調して投写面に投写する画像投写手段を備えたプロジェクターであって、
前記画像情報が投写されていない第１の状態から、前記画像情報が投写される第２の状態に変化するとき、所定時間、前記画像情報を通常より縮小されたサイズで前記画像投写手段に投写させる制御手段と、
を備えたことを特徴とする、プロジェクター。
【請求項２】
請求項１に記載のプロジェクターであって、
前記画像入力端子に前記画像信号が入力されているか否かを検出する画像信号検出手段をさらに備え、
前記第１の状態は、前記画像入力端子に前記画像信号が入力されていない状態であり、
前記第２の状態は、前記画像入力端子に前記画像信号が入力されている状態である、
ことを特徴とする、プロジェクター。
【請求項３】
請求項１または２に記載のプロジェクターであって、
前記第１の状態は、前記画像投写手段が所定のミュート画像を投写するミュート状態であり、
前記第２の状態は、前記ミュート状態が解除された状態である、
ことを特徴とする、プロジェクター。
【請求項４】
請求項１から３のいずれか一項に記載のプロジェクターであって、
前記制御手段は、所定の縮小投写操作を検出した場合に、所定時間、前記画像情報を通常より縮小されたサイズで前記画像投写手段に投写させる、
ことを特徴とする、プロジェクター。
【請求項５】
請求項１から４のいずれか一項に記載のプロジェクターであって、
前記制御手段は、前記画像情報を通常より縮小されたサイズで投写した後、所定時間をかけて徐々に通常のサイズまで拡大して前記画像投写手段に投写させる、
ことを特徴とする、プロジェクター。
【請求項６】
請求項１から５のいずれか一項に記載のプロジェクターであって、
前記制御手段は、前記画像情報を通常より縮小されたサイズで前記画像投写手段に投写させた後、所定の縮小投写解除操作を検出した場合に、前記画像情報を通常のサイズに戻して前記画像投写手段に投写させる、
ことを特徴とする、プロジェクター。
【請求項７】
光源から射出された光を、画像入力端子より入力される画像信号に基づく画像情報に応じて変調して投写面に投写する画像投写手段を備えたプロジェクターの制御方法であって、
当該プロジェクターを、前記画像情報が投写されていない第１の状態、または前記画像情報が投写されている第２の状態のいずれかに設定する状態設定ステップと、
前記状態設定ステップにより、前記第１の状態から前記第２の状態に変化したことを検出した場合に、所定時間、前記画像情報を通常より縮小されたサイズで投写する縮小投写ステップと、
を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
プロジェクターを使ったプレゼンテーション（プレゼン）を行う際、プレゼンの開始前に正しく画像が投写されるか否かを確認したい場合があるが、プロジェクターの拡大された画面にいきなりプレゼン資料などの画像が投写されると、プレゼン前に観衆の注目を集めてしまい確認作業がしにくいことがあった。
【０００３】
下記に示す特許文献１には、ユーザーの希望する画面サイズを入力することで、投写される画面のサイズを縮小・拡大するプロジェクターが開示されている。このプロジェクターによれば入力された希望サイズに対応した位置にズームレンズを駆動することにより、希望のサイズで投写できる。
【先行技術文献】
【特許文献】
【０００４】
【特許文献１】特開平５−３２３４５１号公報
【発明の概要】
【発明が解決しようとする課題】
【０００５】
しかしながら、特許文献１の方法では、一時的な確認作業のために画像サイズの指定入力が必要であり、さらに元に戻すにも画像サイズの指定入力が必要であるなど、操作が煩雑になるという問題があった。
【課題を解決するための手段】
【０００６】
本発明は、上述の課題の少なくとも一部を解決するためになされたものであり、以下の形態、または適用例として実現することが可能である。
【０００７】
［適用例１］本適用例に係るプロジェクターは、光源から射出された光を画像入力端子より入力される画像信号に基づく画像情報に応じて変調して投写面に投写する画像投写手段を備えたプロジェクターであって、前記画像情報が表示されていない第１の状態から表示される第２の状態に変化するとき、所定時間、前記画像情報を通常より縮小されたサイズで投写する制御手段と、を備えたことを特徴とする。
【０００８】
本適用例によれば、画像情報が投写されていない状態から、画像情報が投写される状態に変化するときに、画像情報を通常より縮小されたサイズで投写するので、プレゼンテーションの開始前などにおいて、観衆の注目を集めずに正しい画像が投写されるかを確認することが可能となる。
【０００９】
［適用例２］上記適用例に記載のプロジェクターにおいて、前記画像入力端子に前記画像信号が入力されているか否かを検出する画像信号検出手段をさらに備え、前記第１の状態は、前記画像入力端子に前記画像信号が入力されていない状態であり、前記第２の状態は、前記画像入力端子に前記画像信号が入力されている状態である、ことを特徴とする。
【００１０】
本適用例によれば、画像入力端子に画像信号が入力されておらず画像が投写されていない第１の状態から、画像信号が入力されている第２の状態に変化し、画像が投写される状態になったときに、所定時間、通常より縮小されたサイズで画像情報が投写されるので、次のプレゼンテーションに切り替える準備のときなどで、観衆の注目を集めずに画像情報が正しく投写されるか確認することが可能となる。
【００１１】
［適用例３］上記適用例に記載のプロジェクターにおいて、前記第１の状態は、前記画像投写手段が所定のミュート画像を投写するミュート状態であり、前記第２の状態は、前記ミュート状態が解除された状態である、ことを特徴とする。
【００１２】
本適用例によれば、第１の状態であるミュート状態から、ミュート状態が解除された第２の状態に変化して画像が投写される状態になったときに所定時間、通常より縮小されたサイズで画像情報が投写されるので、ミュート状態にしてプレゼンテーションの切り替えなどを行った場合、ミュート状態解除時に観衆の注目を集めずに画像情報が正しく投写されるか確認することが可能となる。
【００１３】
［適用例４］上記適用例に記載のプロジェクターにおいて、前記制御手段は、所定の縮小投写操作を検出した場合に、所定時間、前記画像情報を通常より縮小されたサイズで投写する、ことを特徴とする。
【００１４】
本適用例によれば、所定の縮小投写操作を検出した場合に、所定時間、通常より縮小されたサイズで画像情報が投写されるので、プレゼンテーションを中断して現在、および以降の投写画像の内容を確認したい場合、観衆の注目を集めずに投写画像が正しく投写されるか確認することが可能となる。
【００１５】
［適用例５］上記適用例に記載のプロジェクターにおいて、前記制御手段は、前記画像情報を通常より縮小されたサイズで投写した後、所定時間をかけて徐々に通常のサイズまで拡大して投写する、ことを特徴とする。
【００１６】
本適用例によれば、画像を通常より縮小されたサイズで投写した後、所定時間をかけて徐々に通常のサイズまで拡大して投写するので、縮小されたサイズの投写状態で画像を確認した後、通常サイズで投写されるまでの間に徐々に拡大される画像で内容を確認することが可能となる。
【００１７】
［適用例６］上記適用例に記載のプロジェクターにおいて、前記制御手段は、前記画像情報を通常より縮小されたサイズで投写した後、所定の縮小投写解除操作を検出した場合に、前記画像情報を通常のサイズに戻して投写する、ことを特徴とする。
【００１８】
本適用例によれば、画像が通常より縮小されたサイズで投写された後、所定の縮小投写解除操作を検出した場合に、直ちに通常のサイズに戻して投写するので、縮小されたサイズの投写状態で画像を確認した後、所定時間を待つことなく直ちに通常サイズでの画像の投写を開始することが可能となる。
【００１９】
［適用例７］本適用例に係るプロジェクターの制御方法は、光源から射出された光を画像入力端子より入力される前記画像信号に基づく画像情報に応じて変調して投写面に投写する画像投写手段を備えたプロジェクターの制御方法であって、当該プロジェクターを、前記画像情報が投写されていない第１の状態、または前記画像情報投写されている第２の状態のいずれかに設定する状態設定ステップと、前記状態設定ステップにより、前記第１の状態から前記第２の状態に変化したことを検出した場合に、所定時間、前記画像情報を通常より縮小されたサイズで投写する縮小投写ステップと、を有することを特徴とする。
【００２０】
本適用例によれば、画像情報が投写されていない状態から投写される状態に変化する際に画像情報を通常より縮小されたサイズで投写するので、プレゼンテーションの開始前などで、観衆の注目を集めずに正しい画像が投写されるか否かを確認することが可能となる。
【図面の簡単な説明】
【００２１】
【図１】プロジェクターの概略構成を示すブロック図。
【図２】プロジェクターの投写画像の遷移を示す図。
【図３】プロジェクターの動作を示すフローチャート。
【発明を実施するための形態】
【００２２】
以下、図面を参照して本発明の実施形態について説明するが、以下の実施形態は特許請求の範囲にかかる発明を限定するものではなく、また、実施形態における特徴の組み合わせの全てが発明の解決手段に必須であるとは限らない。
【００２３】
（第１実施形態）
図１は、本実施形態のプロジェクターの概略構成を示すブロック図である。
図１に示すように、プロジェクター１は、画像投写手段１０、画像信号検出手段１５、ＯＳＤ処理手段１６、画像信号処理手段１７、画像信号入力手段１８、制御手段２０、記憶手段２１、光源制御手段２２、入力操作手段２３、電源端子３０、電源部３１等で構成されており、これらは図示しない筐体の内部、または外面に収容されている。
【００２４】
画像投写手段１０は、光源１１、光変調装置としての３つの液晶ライトバルブ１２（１２Ｒ，１２Ｇ，１２Ｂ）、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによって投写面としてのスクリーンＳＣ等に画像を表示する。
【００２５】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２６】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能となっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２７】
本実施形態では、光源として光源ランプ１１ａを用いて投写するプロジェクター１を例示したが、本発明は光源としてＬＥＤ（Light Emitting Diode）光源やレーザー光源などを用いて投写するプロジェクターにも適用することができる。
【００２８】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２９】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は、時間を計時するタイマー２０１と、プロジェクター１のミュート状態を設定するミュート設定手段２０２とを備える。ここでミュート状態とは、黒画像など所定のミュート画像を投写することにより画像情報の投写を中断している状態をいう。
【００３０】
記憶手段２１は、図示しないフラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。本実施形態では、縮小設定情報２１１が記憶される。
縮小設定情報２１１は、プロジェクター１が通常より縮小されたサイズで投写（縮小投写）を行うときの、画像情報の投写サイズ、投写位置、縮小投写する所定の時間（後述する所定時間Ｔ１）などの設定情報が保存される。また、縮小投写状態から通常サイズの投写（通常投写）状態に戻すまでに、順次画像の投写サイズを拡大する段階数、各段階における投写サイズが保存される。
【００３１】
入力操作手段２３は、ユーザーがプロジェクター１に対して各種指示を行うための複数の操作キーを備えている。
入力操作手段２３が備える操作キーとしては、電源のオン・オフを交互に切り替えるための電源キーや、画像信号入力手段１８に入力される複数の画像入力端子６を切り替えるための入力切替キー、各種設定を行うための設定メニューを重畳表示させるメニューキー、メニューからユーザーが設定項目を選択するカーソルキー、決定キー、エスケープキー、画像のミュート状態の設定を切り替えるミュートキー、画像の縮小投写と通常投写とを切り替える縮小投写キー、ヘルプキー等がある。
【００３２】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３３】
画像信号入力手段１８は、上述したように複数の画像入力端子６より、ビデオ再生装置やパーソナルコンピューター等、外部の画像出力装置から、図示しないケーブル、又は通信機器などを介して画像情報が入力される。入力された画像情報は、制御手段２０の指示に基づき、画像信号検出手段１５、及び画像信号処理手段１７に出力される。
【００３４】
画像信号検出手段１５は、制御手段２０の指示に基づき、画像信号入力手段１８より画像信号が入力されているか否かの検出結果を制御手段２０に通知する。
【００３５】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３６】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３７】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３８】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３９】
光源制御手段２２は、制御手段２０の指示に基づいて、光源１１に対する電力の供給と停止とを制御し、光源１１の点灯、及び消灯を切り替える。
【００４０】
電源部３１には、ＡＣ１００Ｖ等の電力が電源端子３０を介して外部から供給される。電源部３１は、例えば、商用電源（交流電源）を所定の電圧の直流電源に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４１】
本実施形態のプロジェクター１は、上記のように構成されているため、電源端子３０に電源ケーブル（図示せず）が接続され、電源部３１に電力が供給されると、電源部３１は、少なくとも制御手段２０、記憶手段２１、入力操作手段２３に電力（スタンバイ電力）の供給を行い、制御手段２０は、この電力供給を受けて、制御プログラムに従った動作を開始する。
電力が供給された直後には、プロジェクター１は、スタンバイ状態（「電源オフ状態」ともいう。）であり、光源１１を消灯させた状態を維持している。そして、入力操作手段２３に備わる電源キーがユーザーにより操作されると、制御手段２０は、電源部３１に指示をして、各部への動作電力の供給を開始させ、プロジェクター１を電源オン状態に移行させる。
【００４２】
次に、本実施形態のプロジェクター１の投写画像の遷移を、図２を用いて説明する。なお、図２の状態（ａ）〜（ｅ）は投写画像を抽象的に示すものであり、実際の投写画像を限定するものではない。
【００４３】
状態（ａ）は、プロジェクター１の画像入力端子６に画像信号が入力されていない状態、いわゆる画像信号未検出状態（無信号状態）のときの投写画像を示す。この投写画像は、背景画像Ｂ１を背景として、画像信号が入力されていない旨を示す警告メッセージが表示（投写）されたものである。本実施形態の状態（ａ）、および後述する状態（ｅ）が第１の状態に相当する。
状態（ａ）において、画像信号が検出されると、状態（ｂ）に遷移する。
【００４４】
状態（ｂ）は、無信号状態から、プロジェクター１の画像入力端子６に画像信号が入力されていることを検出したときの投写画像を示す。
この投写画像では、縮小された画像情報である入力画像Ｐ１が表示されている。入力画像Ｐ１が表示されていない場所は背景画像Ｂ１が表示されている。なお、この例では縮小設定情報２１１として、画像情報を通常の１／９サイズで画面右下に所定の時間に達するまで投写する、とする設定情報が保存されているものとする。本実施形態の状態（ｂ）、および後述する状態（ｃ），（ｄ）が第２の状態に相当する。
【００４５】
状態（ｃ）は、状態（ｂ）から所定の時間が経過した後の投写画像を示す。状態（ｂ）から所定時間Ｔ１が経過すると、状態（ｃ）に示すように入力画像Ｐ１の画像サイズが徐々に拡大されていく。この入力画像Ｐ１の拡大は、縮小設定情報２１１として保存されている、縮小投写状態から通常投写状態に戻すまでのステップ数や、各ステップにおける投写サイズに基づいて行われる。
【００４６】
状態（ｄ）は状態（ｃ）の画像サイズの拡大が完了し、通常投写状態になったときの投写画像を示す。この投写画像では、入力画像Ｐ１が全画面に表示されている。
【００４７】
状態（ｅ）はミュート状態の投写画像を示す。この投写画像では、黒画像のミュート画像とミュート状態を示す「Ｍｕｔｅ」文字列が表示されている。状態（ｅ）からミュートキーによるミュート状態の解除操作が行われると、状態（ｂ）に遷移し、以降は上述した画面遷移を行う。
【００４８】
なお、状態（ｂ）や状態（ｃ）から、縮小投写キー操作による縮小投写解除操作によって、直ちに状態（ｄ）に遷移してもよい。また、状態（ｄ）から縮小投写キー操作による縮小投写操作によって、状態（ｂ）に遷移してもよい。
【００４９】
次に、本実施形態のプロジェクター１の動作を図３のフローチャートを用いて説明する。
【００５０】
［画像信号を検出した場合］
図３に示すように、プロジェクター１が無信号状態（ステップＳ１００）にあるときに、画像信号検出手段１５により、画像信号が入力されたことが検出されると、（ステップＳ１０１）、ステップＳ１０２に遷移する。ここで、無信号状態（ステップＳ１００）では、図２の状態（ａ）のような投写画像が投写されている。なお、ステップＳ１０１が状態設定ステップに相当する。
【００５１】
ステップＳ１０２において制御手段２０は、縮小設定情報２１１の設定情報に基づき、画像情報の縮小投写が設定されているか否かを調べる。縮小投写が設定されている場合（ステップＳ１０２：Ｙ）、ステップＳ１０４に遷移する。縮小投写が設定されていない場合（ステップＳ１０２：Ｎ）、ステップＳ１１０に遷移する。
【００５２】
ステップＳ１０４において制御手段２０は、縮小設定情報２１１の設定情報に基づき、画像信号入力手段１８より入力される入力画像Ｐ１を縮小し、画像投写手段１０により、現在投写されている背景画像Ｂ１の一部に割り込んだ状態で投写する。このときの投写画像は図２の状態（ｂ）のようになる。
【００５３】
ステップＳ１０５において、タイマー２０１による計時をスタートし、ステップＳ１０６に遷移する。
【００５４】
ステップＳ１０６において制御手段２０は、入力操作手段２３の縮小投写キーなどによる所定の縮小投写解除操作を検出したか否かを調べる。縮小投写解除操作を検出した場合（ステップＳ１０６：Ｙ）、ステップＳ１１０に遷移する。縮小投写解除操作を検出していない場合（ステップＳ１０６：Ｎ）、ステップＳ１０７に遷移する。
【００５５】
ステップＳ１０７において制御手段２０は、タイマー２０１が所定の時間Ｔ１０（例えば０．５秒）を経過したか否かを調べる。タイマー２０１が時間Ｔ１０を経過した場合（ステップＳ１０７：Ｙ）、ステップＳ１０８に遷移する。タイマー２０１が時間Ｔ１０を経過していない場合（ステップＳ１０７：Ｎ）、ステップＳ１０６に遷移する。
【００５６】
ステップＳ１０８において制御手段２０は、画像投写手段１０により、入力画像Ｐ１を現在の状態から１段階拡大して投写し、ステップＳ１０９に遷移する。このときの入力画像Ｐ１の拡大の様子は図２の状態（ｃ）のようになる。
【００５７】
ステップＳ１０９において制御手段２０は、ステップＳ１０８においてサイズを拡大した入力画像Ｐ１が、通常の投写状態のサイズに到達したか否かを調べる。入力画像Ｐ１が通常の投写状態のサイズまで拡大した場合（ステップＳ１０９：Ｙ）、ステップＳ１１０に遷移する。入力画像Ｐ１が通常の投写状態のサイズに到達していない場合（ステップＳ１０９：Ｎ）、ステップＳ１０５に遷移する。つまり、所定時間Ｔ１が４．５秒であり、入力画像Ｐ１を通常の１／９サイズから通常の投写サイズまで１０段階で拡大したとすると、時間Ｔ１０はＴ１／（１０−１）＝０．５秒となり、所定時間Ｔ１（４．５秒）かけて最初の縮小投写状態から通常の投写状態に戻ることになる。なお、ステップＳ１０４からステップＳ１０９までが縮小投写ステップに相当する。
【００５８】
ステップＳ１１０において制御手段２０は、入力画像Ｐ１を画像投写手段１０により通常のサイズで投写し、ステップＳ１１１に遷移する。
【００５９】
ステップＳ１１１において本動作フローを終了する。
【００６０】
［ミュート状態の解除を検出した場合］
図３に示すように、プロジェクター１がミュート状態（ステップＳ１２０）にあるときに、入力操作手段２３のミュートキーによりミュート状態の解除操作を検出すると（ステップＳ１２１）、ステップＳ１０２に遷移し、以降は上述した動作を行う。
【００６１】
なお、ミュート状態（ステップＳ１２０）へは、通常投写状態から入力操作手段２３のミュートキーによるミュート状態の設定操作によって移行する。ミュート状態（ステップＳ１２０）では、図２の状態（ｅ）のような投写画像が投写されている。
【００６２】
［縮小投写操作を検出した場合］
図３に示すように、プロジェクター１が通常投写状態（ステップＳ１４０）にあるときに、入力操作手段２３の縮小投写キーによる画像の縮小投写操作を検出すると（ステップＳ１４１）、ステップＳ１０２に遷移し、以降は上述した動作を行う。
【００６３】
以上説明したように、本実施形態のプロジェクター１によれば、画像情報が投写されていない状態（例えば画像信号が入力されていない状態、ミュート状態）から投写される状態に変化する際に画像情報を通常より縮小されたサイズで投写するので、プレゼンテーションの開始前、切り替え時などで、観衆の注目を集めずに正しい画像が投写されるかを確認することが可能となる。
【００６４】
また、所定の縮小投写操作を検出したときに所定時間Ｔ１の間、通常より縮小されたサイズで画像情報が投写されるので、プレゼンテーションを中断して現在、および以降の投写画像の内容を確認したい場合、観衆の注目を集めずに投写画像が正しく投写されているのか確認することが可能となることが可能となる。
【００６５】
また、画像を通常より縮小されたサイズで投写した後、所定時間Ｔ１をかけて徐々に通常のサイズまで拡大して投写するので、縮小されたサイズの投写状態で画像を確認した後、通常サイズで投写されるまでの間に徐々に拡大される画像で内容を確認することが可能となる。
【００６６】
また、画像が縮小投写された後、所定の通常投写操作を検出した場合に、直ちに通常のサイズに戻して投写するので、縮小状態で画像を確認した後、所定時間Ｔ１を待つことなく直ちに通常サイズでの画像の投写を開始することが可能となる。
【００６７】
また、上記実施形態は、以下のように変更してもよい。
（変形例１）
上記実施形態において、画像情報をあらかじめ設定された縮小サイズで投写するとき、及び画像情報を徐々に拡大していくときに、画像を静止するようにしてもよい。これにより、画像情報が変化している場合でも静止された状態の画像により表示状態を確認することが可能となる。
【符号の説明】
【００６８】
１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１５…画像信号検出手段、１６…ＯＳＤ処理手段、１７…画像信号処理手段、１８…画像信号入力手段、２０…制御手段、２０１…タイマー、２０２…ミュート設定手段、２１…記憶手段、２１１…縮小設定情報、２２…光源制御手段、２３…入力操作手段、３０…電源端子、３１…電源部。
【図１】
2014048617.tif 000003
【図２】
2014048617.tif 000004
【図３】
2014048617.tif 000005